(57)【特許請求の範囲】
【請求項１】
印字用テープを内蔵したテープカセットを着脱可能に保持するカセット保持部と、印字用テープに印字を施す印字ヘッドと、印字ヘッドに印字用テープを圧接するプラテンローラとを有するテープ印字装置において、
前記プラテンローラと前記印字ヘッドとの少なくとも一方を保持すると共に、そのプラテンローラ又は印字ヘッドが他方に接近するセット位置と離間するリリース位置との間で移動可能なホルダと、
閉状態と開状態とを切換可能であると共に、閉状態では前記カセット保持部に保持したテープカセットを覆うカセットカバーと、
押込位置と引出位置との間で切換可能であると共に前記カセットカバーに連動され、カセットカバーが閉状態のときには押込位置とされ、カセットカバーが開状態のときには引出位置とされるレバー部材と、
前記レバー部材と前記ホルダとを連結すると共に、レバー部材が押込位置にあるときにはホルダをセット位置とし、レバー部材が引出位置にあるときにはホルダをリリース位置とするリリースロッドと、
前記カセットカバーに形成された、カセットカバーを開状態から閉状態に切り換えるときに前記レバー部材を押圧して引出位置から押込位置に切り換える上舌片と、
前記カセットカバーに形成された、カセットカバーを閉状態から開状態に切り換えるときに前記レバー部材を押出して押込位置から引出位置に切り換える下舌片とを有することを特徴とするテープ印字装置。
【請求項２】
印字用テープを内蔵したテープカセットを着脱可能に保持するカセット保持部と、印字用テープに印字を施す印字ヘッドと、印字ヘッドに印字用テープを圧接するプラテンローラとを有するテープ印字装置において、
前記プラテンローラと前記印字ヘッドとの少なくとも一方を保持すると共に、そのプラテンローラ又は印字ヘッドが他方に接近するセット位置と離間するリリース位置との間で移動可能なホルダと、
閉状態と開状態とを切換可能であると共に、閉状態では前記カセット保持部に保持したテープカセットを覆うカセットカバーと、
押込位置と引出位置との間で切換可能であると共に前記カセットカバーに連動され、カ
セットカバーが閉状態のときには押込位置とされ、カセットカバーが開状態のときには引出位置とされるレバー部材と、
前記レバー部材と前記ホルダとを連結すると共に、レバー部材が押込位置にあるときにはホルダをセット位置とし、レバー部材が引出位置にあるときにはホルダをリリース位置とするリリースロッドと、
前記レバー部材に形成された下レバーと、
前記レバー部材に形成された上レバーと、
前記カセットカバーに形成された、カセットカバーを開状態から閉状態に切り換えるときに前記下レバーを押圧して前記レバー部材を引出位置から押込位置に切り換え、カセットカバーを閉状態から開状態に切り換えるときに前記上レバーを押出して前記レバー部材を押込位置から引出位置に切り換える突起部とを有することを特徴とするテープ印字装置。
【請求項３】
前記ホルダにより保持されるのが、前記プラテンローラであることを特徴とする請求項１又は請求項２に記載するテープ印字装置。
【発明の詳細な説明】
【０００１】
【産業上の利用分野】
本発明は、テープ状の印字媒体に印字するテープ印字装置に関し、特に、収納された状態のテープカセットを覆うカセットカバーの開閉動作と連動してテープに印字する印字ヘッド及びテープを送るプラテンの出退動作が行われるような構造のテープカセット収納部分を採用して使いやすさを向上させたテープ印字装置に関するものである。
【０００２】
【従来の技術】
従来より、キーボード等の入力手段から文字等を入力して作成されたテキストをディスプレイ上に表示しつつ、長尺状の印字媒体である印字テープに印字可能なテープ印字装置が各種提案されている。かかるテープ印字装置では、一般に、印字テープをインクリボンや裏打ちテープとともにそれぞれスプールに巻回して所定形状のカセットに納めたテープカセットから、テープの供給を受けるようになっている。
【０００３】
そして、テープ印字装置のテープカセット収納部分には、テープに印字する印字ヘッドとテープを送り駆動するプラテンとが設けられ、印字の際はプラテンにより印字テープを印字ヘッドに押圧しつつテキストを印字し、印字済みテープとして排出する。ここで、テープカセットを交換のために脱着する場合には、印字ヘッドとプラテンとによる印字テープの押圧を解除しなければならないので、印字ヘッド及びプラテンを印字テープ押圧位置から退避させなければならない。このため、印字ヘッドとプラテンとの少なくとも一方が可動とされるとともに、これらの押圧位置と退避位置との移動をさせる解除部材を備えていた。
また、テープカセット収納部分には、収納したテープカセットを覆うカセットカバーを備え、印字の際にはこれを閉じて外部からの異物の進入等を防ぐようにしていた。
【０００４】
このような、従来のテープ印字装置においては、カセットカバーの開閉動作と印字ヘッド及びプラテンの出退動作は別個独立であり、それぞれに操作用のレバー又はボタン等を備えていた。中には、これら２つの動作に関連性を与えたものもあったが、カセットカバーを開とする操作がなされた際に印字ヘッド及びプラテンを退避位置（以下、「リリース位置」という）へ移動させるのみの一方向的な関連性に留まっていた（実公平３−６９６６号公報）。
【０００５】
【発明が解決しようとする課題】
しかしながら、この種のテープ印字装置においては、テープカセットの脱着頻度はかなり高い。テープカセットに内蔵する印字テープを使用し尽くした後に新たなテープカセットに交換して印字を続行する場合はもちろん、使用する印字テープの種類を変更しようとする場合があるからである。即ち、印字テープには、テープ幅、テープ種（ラミネートテープ、転写テープ等の別）、地色、印字色等に多様な種類があり、一のテープカセットに
は一種類の印字テープのみが装填されているため、使用する印字テープの種類を変更する場合には必ずテープカセットを脱着しなければならないのである。
【０００６】
このため、印字ヘッド及びプラテンをリリースし、カセットカバーを開き、テープカセットを取り除き、新たなテープカセットを載置し、カセットカバーを閉じ、印字ヘッド及びプラテンを押圧位置（以下、「セット位置」という）へ移動させるという煩雑な操作を頻繁に行う必要があった。
特に、実公平３−６９６６号公報に記載されるようなテープカセット収納部分が裏側に設けられたテープ印字装置では、カバー開閉や印字ヘッド及びプラテン載置のための操作レバー又はボタンも裏側にあり、操作はテープ印字装置をいちいち裏返さなければならずよけい煩雑であった。
【０００７】
一方、使用者がこの手順を知らなかったり誤ったりする場合には、印字ヘッド及びプラテンをリリースしないままカセットカバーをこじ開けようとしたり、新たなテープカセットを載置してカセットカバーを閉じた後、印字ヘッド及びプラテンをセットしないまま印字指令して、そのために印字エラーが発生する場合があった。
前記した実公平３−６９６６号公報に記載されるテープ印字装置では、カセットカバーを開けようとする場合のみ印字ヘッド及びプラテンが連動してリリースされるが、カセットカバーを閉じようとする場合には連動されず、誤って印字指令してエラーとなる場合が排除できなかった。
【０００８】
本発明は、前記従来の問題点を解消するためになされたものであり、カセットカバーの開閉動作と印字ヘッド及びプラテンの出退動作とを開閉両方向において関連させ、カセットカバーを閉じるとこれに伴って印字ヘッド及びプラテンがセットされると共に、印字ヘッド及びプラテンがセットされたままでもカセットカバーを開けようとするとこれに伴って印字ヘッド及びプラテンがリリースされてカセットカバーが開くようにすることにより、使いやすさを向上して誤操作の可能性を少なくしたテープ印字装置を提供することを目的とする。
【０００９】
【課題を解決するための手段】
前記目的を達成するため本発明に係るテープ印字装置は、印字用テープを内蔵したテープカセットを着脱可能に保持するカセット保持部と、印字用テープに印字を施す印字ヘッドと、印字ヘッドに印字用テープを圧接するプラテンローラとを有するテープ印字装置において、前記プラテンローラと前記印字ヘッドとの少なくとも一方を保持すると共に、そのプラテンローラ又は印字ヘッドが他方に接近するセット位置と離間するリリース位置との間で移動可能なホルダと、閉状態と開状態とを切換可能であると共に、閉状態では前記カセット保持部に保持したテープカセットを覆うカセットカバーと、押込位置と引出位置との間で切換可能であると共に前記カセットカバーに連動され、カセットカバーが閉状態のときには押込位置とされ、カセットカバーが開状態のときには引出位置とされるレバー部材と、前記レバー部材と前記ホルダとを連結すると共に、レバー部材が押込位置にあるときにはホルダをセット位置とし、レバー部材が引出位置にあるときにはホルダをリリース位置とするリリースロッドと、前記カセットカバーに形成された、カセットカバーを開状態から閉状態に切り換えるときに前記レバー部材を押圧して引出位置から押込位置に切り換える上舌片と、前記カセットカバーに形成された、カセットカバーを閉状態から開状態に切り換えるときに前記レバー部材を押出して押込位置から引出位置に切り換える下舌片とを有することを特徴とする。
【００１０】
また、本発明のテープ印字装置は、印字用テープを内蔵したテープカセットを着脱可能に保持するカセット保持部と、印字用テープに印字を施す印字ヘッドと、印字ヘッドに印字用テープを圧接するプラテンローラとを有するテープ印字装置において、前記プラテンローラと前記印字ヘッドとの少なくとも一方を保持すると共に、そのプラテンローラ又は印字ヘッドが他方に接近するセット位置と離間するリリース位置との間で移動可能なホルダと、閉状態と開状態とを切換可能であると共に、閉状態では前記カセット保持部に保持したテープカセットを覆うカセットカバーと、押込位置と引出位置との間で切換可能であると共に前記カセットカバーに連動され、カセットカバーが閉状態のときには押込位置とされ、カセットカバーが開状態のときには引出位置とされるレバー部材と、前記レバー部材と前記ホルダとを連結すると共に、レバー部材が押込位置にあるときにはホルダをセット位置とし、レバー部材が引出位置にあるときにはホルダをリリース位置とするリリースロッドと、前記レバー部材に形成された下レバーと、前記レバー部材に形成された上レバーと、前記カセットカバーに形成された、カセットカバーを開状態から閉状態に切り換えるときに前記下レバーを押圧して前記レバー部材を引出位置から押込位置に切り換え、カセットカバーを閉状態から開状態に切り換えるときに前記上レバーを押出して前記レバー部材を押込位置から引出位置に切り換える突起部とを有することを特徴とする。更に、本発明のテープ印字装置は、前記ホルダにより保持されるのが、前記プラテンローラであることを特徴とする。
【００１１】
【作用】
前記構成を有する請求項１記載のテープ印字装置では、テープカセットをカセット保持部に装着し、カセットカバーを閉状態としてテープカセットを覆うと、カセットカバーに連動されたレバー部材が押込位置とされる。このとき、レバー部材の動きがリリースロッドを介してホルダに伝達される。このためホルダがセット位置に移動してプラテンローラと印字ヘッドとの一方が他方に接近し、テープ印字装置は印字用テープへの印字が可能な状態となる。カセットカバーを開状態にすると、カセットカバーに連動されたレバー部材が引出位置とされる。このとき、レバー部材の動きがリリースロッドを介してホルダに伝達され、ホルダはリリース位置に移動する。即ち、プラテンローラと印字ヘッドとの一方が他方から離間し、テープ印字はテープカセットの取出が可能となる。更に、カセットカバーを閉状態にするときに、カセットカバーに形成された上舌片がレバー部材を押圧して引出位置から押込位置に切り換える。カセットカバーを開状態にするときには、カセットカバーに形成された下舌片がレバー部材を押出して押込位置から引出位置に切り換える。
【００１２】
また、前記請求項２記載のテープ印字装置では、テープカセットをカセット保持部に装着し、カセットカバーを閉状態としてテープカセットを覆うと、カセットカバーに連動されたレバー部材が押込位置とされる。このとき、レバー部材の動きがリリースロッドを介してホルダに伝達される。このためホルダがセット位置に移動してプラテンローラと印字ヘッドとの一方が他方に接近し、テープ印字装置は印字用テープへの印字が可能な状態となる。カセットカバーを開状態にすると、カセットカバーに連動されたレバー部材が引出位置とされる。このとき、レバー部材の動きがリリースロッドを介してホルダに伝達され、ホルダはリリース位置に移動する。即ち、プラテンローラと印字ヘッドとの一方が他方から離間し、テープ印字はテープカセットの取出が可能となる。更に、カセットカバーを閉状態にするときに、カセットカバーに形成された突起部がレバー部材に形成された下レバーを押圧して、レバー部材を引出位置から押込位置に切り換える。カセットカバーを開状態にするときには、突起部がレバー部材に形成された上レバーを押出して、レバー部材を押込位置から引出位置に切り換える。
【００１３】
更に、前記請求項１又は請求項２記載のテープ印字装置は、前記ホルダにより保持されるのが、前記プラテンローラであるため、カセットカバーの開閉動作と印字ヘッド及びプラテンの出退動作とを開閉両方向において関連させ、カセットカバーを閉じるとこれに伴って印字ヘッド及びプラテンがセットされると共に、印字ヘッド及びプラテンがセットされたままでもカセットカバーを開けようとするとこれに伴って印字ヘッド及びプラテンがリリースされてカセットカバーが開くようにすることにより、使いやすさを向上して誤操作の可能性が少なくなる
【００１４】
【実施例】
以下、本発明を具体化したテープ印字装置の一実施例について図面を参照して説明する。
先ず、テープ印字装置１の全体構成について図７に基づき説明する。図７は、テープ印字装置１をカセットカバーを取り除いた状態で裏面側からみた斜視図である。テープ印字装置１の裏面後方には、印字テープ９を所定形状のカセットケースに収納したテープカセット３を装着する保持部４が形成され、その保持部４には、テープカセット３内の使用済みのインクリボン１０を巻取るためのリボン巻取カム５と、印字済みの印字テープ９を送り駆動するためのテープ送りローラカム６とが配置されている。保持部４にはこの他、印字テープに印字するサーマルヘッド７が、テープカセット３が装着された際にその開口部８に位置するように配置されている。
【００１５】
保持部４は、本来は開閉可能なカセットカバーで覆われるものである。そして、保持部４の傍のレバー２２はその開閉操作を行うと共に、後述するローラホルダのセット及びリリース動作をも行うためのものである。
尚、図７においてテープ印字装置１の図示しない表面側には、種々の文字入力や指令等を行うキーボードや、キーボードからの文字入力等により作成したテキストの内容を表示する液晶ディスプレイその他、テープ印字装置１の操作上必要な種々の機構が配置されている。
【００１６】
テープカセット３の内部の構造を、ラミネートテープのカセットを例にとって図８に示す。図８には、説明上、テープカセット３の内部構造と共にテープ印字装置１の印字機構の一部であり保持部４内に設けられるサーマルヘッド７やローラホルダ１８等も示されている。
【００１７】
テープカセット３には、透明なフィルムからなる所定幅の印字テープ９と、印字テープ９に転写されるインクを表面に塗布されたインクリボン１０と、印字がなされた印字テープ９の裏面に貼り合わされる印字テープ９と同一幅の両面テープ１４とが、それぞれ回転自在に設置された供給スプールにロール状に巻回されて配置されている。そして、これらに挟まれる位置には、印字に供した後のインクリボン１０を巻き取る使用済みリボン巻取スプール１２が設けられている。更に、テープカセット３の内部には、その開口部８付近において、印字済みの印字テープ９をテープカセット３の外部に排出すると共に、印字済みの印字テープ９の裏面に両面テープ１４を貼り合わせるためのテープ送りローラ１５が内蔵されている。
【００１８】
テープカセット３をテープ印字装置１の保持部４に装着すると、保持部４のリボン巻取カム５はテープカセット３の使用済みリボン巻取スプール１２に、保持部４のテープ送りローラカム６はテープカセット３のテープ送りローラ１５に、それぞれ連結される。
印字時には使用済みリボン巻取スプール１２とテープカセット３のテープ送りローラ１５とが回転駆動される。これにより、印字テープ９とインクリボン１０とがそれぞれの供給スプールから引き出され、重ね合わされてサーマルヘッド７に送られ、所定の印字がなされる。そして、使用済みのインクリボン１０は印字がなされた印字テープ９と離れて、使用済みリボン巻取スプール１２に巻き取られる。一方、印字がなされた印字テープ９には、供給された両面テープ１４が貼り合わせられて、テープ送りローラ１５により外部に排出される。
【００１９】
次に、印字中に印字テープ９をサーマルヘッド７に押圧する機構を説明する。  前記のように、図７中保持部４に配置されるサーマルヘッド７は、テープカセット３が装着された際にその開口部８に位置する。そして、印字テープ９を挟んでサーマルヘッド７と対向する位置に、プラテンローラ１６が配置されている。そして、テープカセット３のテープ送りローラ１５と対向する位置に押圧ローラ１７が配置されている。プラテンローラ１６と押圧ローラ１７とは、ローラホルダ１８に回転可能に取り付けられており、そのローラホルダ１８はホルダ軸１９上に回動可能に取り付けられている。
ローラホルダ１８の回動により、プラテンローラ１６と押圧ローラ１７とは、サーマルヘッド７及びテープ送りローラ１５に圧着するセット位置（実線）、或は、サーマルヘッド７及びテープ送りローラ１５に圧着しないリリース位置（２点鎖線）のいずれかの位置に保持される。
【００２０】
続いて、プラテンローラ１６と押圧ローラ１７との押圧及びその解除、並びに保持部４を覆うカセットカバーの開閉をレバー２２により行う仕組みについて、図１を参照して説明する。図１は、保持部４を覆うカセットカバー２９と、保持部４に設けられる印字機構とを示す斜視図である。
【００２１】
図１中カセットカバー２９は、保持部４を開閉可能に覆うものであって、蝶番部３０、３０によりテープ印字装置１の本体に取り付けられ、蝶番部３０、３０を中心に回動して保持部４を開閉する。カセットカバー２９の先端には係合片３１が設けられている。係合片３１は、テープ印字装置１の本体側に設けられた係合部（図示せず）と係合してカセットカバー２９を閉状態に保持するものである。係合片３１は弾力を有しているので、操作者が所定の操作をすれば係合が解除されカセットカバー２９は開状態となる。
一方、カセットカバー２９の蝶番部３０に近接した位置に上舌片３３と下舌片３２とが設けられている。前記したレバー２２は、上舌片３３と下舌片３２との間に位置する。
【００２２】
カセットカバー２９に覆われる保持部４には、印字機構が配置されている。テープ印字装置１の印字機構は、プラテンローラ１６と押圧ローラ１７とを保持するローラホルダ１８を、テープ印字装置１に対して固定されたフレーム２０に回動可能に取り付けてなるものである。フレーム２０には、ホルダ軸１９が固定して設けられており、前記のようにローラホルダ１８は、ホルダ軸１９を中心に回動可能である。矢印Ｃのように動くとリリース位置となり、プラテンローラ１６及び押圧ローラ１７がサーマルヘッド７及びテープ送りローラ１５から離間する。矢印Ｃの逆向きに動くとセット位置となり、プラテンローラ１６及び押圧ローラ１７が、テープカセット３の印字テープ９を挟持しつつサーマルヘッド７及びテープ送りローラ１５に圧着される。
【００２３】
また、ローラホルダ１８には、後述するローラリリースロッド２５の嵌合部２７が摺動可能に嵌合されるスライド溝２６が形成されている。
フレーム２０には、ホルダ軸１９とは別に水平方向のレバー軸２１が設けられている。前記したレバー２２は、レバー軸２１に上下方向に回動可能に取り付けられ、カセットカバー２９の上舌片３３と下舌片３２との間に位置する。
【００２４】
印字機構を反対側から見た斜視図を図２に示す。レバー２２には、レバー軸２１より下方に端部２４が延設されている。フレーム２０内には、ローラリリースロッド２５が略水平方向に移動可能（図１の矢印Ｂ参照）に保持されている。レバー２２の端部２４とローラリリースロッド２５とは互いに回動可能に結合されており、レバー２２の操作に伴い端部２４が移動すると、これに連動してローラリリースロッド２５も移動する。ローラリリースロッド２５の後端には嵌合部２７が設けられており（図１参照）、嵌合部２７はローラホルダ１８のスライド溝２６に摺動可能に嵌合されている。また、フレーム２０内には、ホルダ軸１９にトグルバネ２８が取り付けられており、ローラホルダ１８をリリース位置の方向へ付勢している。
【００２５】
レバー２２が押し下げられローラリリースロッド２５が図１の矢印Ｂと逆向きに動くと、嵌合部２７がローラホルダ１８を押圧して、ローラホルダ１８は矢印Ｃと逆向きに回動し、セット位置となる。レバー２２が引き上げられローラリリースロッド２５が矢印Ｂの向きに動くと、ローラホルダ１８はトグルバネ２８の付勢によりリリース位置へ移動する。
【００２６】
かかる印字機構を有するテープ印字装置１を使用する場合には、保持部４にテープカセット３を装着する。そして、カセットカバー２９を押圧して係合片３１をテープ印字装置１の本体に係合させて閉状態とする。このとき、印字機構は以下のように作用する。
即ち、カセットカバー２９が閉じられるのに伴い、カセットカバー２９の上舌片３３が上舌片３３と下舌片３２との間に位置するレバー２２を押し下げる。このため、レバー２２の動きに連動して前記のようにローラリリースロッド２５が図１中矢印Ｂと逆向きに移動し、ローラホルダ１８が嵌合部２７に押圧されて、矢印Ｃと逆向きに回動して、セット位置となる。従って、カセットカバー２９を閉じると必ずローラホルダ１８がセット位置となり、特段のセット操作をしないで印字可能な状態となるのである。
【００２７】
そして、印字を行いテープカセット３を取り出す場合には、特段のリリース操作をすることなく、直接カセットカバー２９に指を掛けて引き上げ、カセットカバー２９を開けばよい。このときは、カセットカバー２９の下舌片３２がレバー２２を押し上げる。このため、レバー２２の動きに連動してローラリリースロッド２５が図１中矢印Ｂの向きに移動し、ローラホルダ１８は押圧が解除され、トグルバネ２８の付勢により、矢印Ｃの向きに移動してリリース位置となる。従って、カセットカバー２９を開けば直ちに、テープカセット３を取り出せる状態となる。
即ち、テープカセット３の装着時、取出時ともに、一動作で目的を達成できるものである。
【００２８】
ここで、カセットカバー２９を押圧し又は引き上げる替わりに、レバー２２自体に指を掛け押し下げ又は引き上げることによっても、ローラホルダ１８をセット位置とし又はリリース位置とすることができる。この場合には、レバー２２を押し下げるときに、カセットカバー２９の下舌片３２がレバー２２により押し下げられるので、カセットカバー２９は閉じられる。また、レバー２２を引き上げるときに、カセットカバー２９の上舌片３３が押し上げられるので、カセットカバー２９は開かれる。
【００２９】
次に、本発明の第２の実施例について述べる。この実施例は、カセットカバーとレバーとの係合部分の形状以外は前記第１実施例のものと同様であるので、相違点のみ説明することとする。この実施例におけるカセットカバーと印字機構とを示す斜視図を図３に示す。図１におけるレバー２２は、図３では上レバー３４と下レバー２３との２本に分かれている。むろん、上レバー３４と下レバー２３とは一体であり、伴って動くものである。
一方カセットカバー２９Ａには、上舌片３３と下舌片３２とが設けられる替わりに一の舌片３５が設けられている。舌片３５は、上レバー３４と下レバー２３との間に位置する。印字機構を反対側から見た斜視図を図４に示す。上レバー３４及び下レバー２３の下方には、図２に示す第１実施例の場合と同様に、端部２４が延設され、ローラリリースロッド２５を介してローラホルダ１８と連結されている。
【００３０】
かかる第２実施例のものは、以下のように作用する。
カセットカバー２９Ａが閉じられるのに伴い、カセットカバー２９Ａの舌片３５が下レバー２３を押し下げる。このため、下レバー２３及びこれと一体である上レバー３４が図３中矢印Ａと逆向きに移動する。この動きに伴い、第１実施例の場合と同様にローラリリースロッド２５が図３中矢印Ｂと逆向きに移動し、ローラホルダ１８が嵌合部２７に押圧されて、矢印Ｃと逆向きに回動して、セット位置となる。従って、カセットカバー２９Ａを閉じると必ずローラホルダ１８がセット位置となり、印字可能な状態となる。
【００３１】
テープカセット３を取り出す場合も同様で、直接カセットカバー２９Ａに指を掛けて引き上げカセットカバー２９Ａを開けば、カセットカバー２９Ａの舌片３５が上レバー３４を押し上げる。このため、上レバー３４及びこれと一体の下レバー２３が図３中矢印Ａの向きに移動する。この動きに連動してローラリリースロッド２５が図１中矢印Ｂの向きに移動し、ローラホルダ１８は矢印Ｃの向きに移動してリリース位置となる。従って、カセットカバー２９Ａを開けば直ちに、テープカセット３を取り出せる      状態となる。
【００３２】
即ち、第１実施例の場合と同様、テープカセット３の装着時、取出時ともに、一動作で目的を達成できる。
また、カセットカバー２９Ａを開閉操作する替わりに、上レバー３４自体に指を掛け押し下げ又は引き上げることによっても、同様の結果が得られる。
かかる第２実施例の場合、図５に示すように、カセットカバー２９Ａの舌片３５に替えてピン３６を形成してもよい。図５のものも、図３及び図４に示したものと同様に動作する。
【００３３】
次に、本発明の第３の実施例について図６を参照して説明する。この実施例は、前記第２実施例と同様に、カセットカバー２９Ａの動きをローラリリースロッド２５に伝達するレバーを上レバー３４と下レバー２３との２本で構成したものである。図６は、この実施例における上レバー３４及び下レバー２３及びその周辺部分の断面図を示す。図６のものでは、カセットカバー２９Ａの一部に凹みを設けて舌片３５となし、舌片３５の側部に開口部３７を設けたものである。上レバー３４がこの開口部３７に挿入され、舌片３５は上レバー３４と下レバー２３との間に位置する。カセットカバー２９Ａが蝶番部３０を中心に回動して開閉する点、ローラリリースロッド２５がレバー端部２４とローラホルダとを連結している点については前記の実施例の場合と同様である。
【００３４】
この実施例のものも、前記第２実施例の場合と同様の作用を示す。即ち、カセットカバー２９Ａを閉じれば舌片３５が下レバー２３を押し下げ、ローラリリースロッド２５を介してローラホルダがセット位置とされ、一方、カセットカバー２９Ａを開けば舌片３５が上レバー３４を押し上げ、ローラリリースロッド２５を介してローラホルダがリリース位置とされる。かくしてテープカセット３の装着時、取出時ともに、一動作で目的を達成できるものであり、上レバー３４自体を指で操作しても同様の結果が得られる。
【００３５】
以上詳細に説明した通り、前記第１実施例に係るテープ印字装置１では、カセットカバー２９に上舌片３３と下舌片３２とを設け、その間にレバー２２が位置することとし、レバー２２の端部２４とローラホルダ１８とをローラリリースロッド２５で連結したので、カセットカバー２９を閉状態とすればローラホルダ１８がセット位置となり、逆にカセットカバー２９を開状態とすればローラホルダ１８がリリース位置となる。従って、カセットカバー２９の開閉動作とプラテンローラ１６による印字テープの挟持動作とが一の操作で行われる。かくしてテープ印字装置１では、ローラホルダ１８がセットされないまま印字指令されることによるカラ印字や、ローラホルダ１８がセットされたままテープカセット３を取り外そうとすることによる操作のやり直しの可能性が排除されている。
【００３６】
また、前記第２、第３実施例に係るテープ印字装置１では、レバーを上レバー３４と下レバー２３とで構成し、その間にカセットカバー２９Ａに設けられる舌片３５又はピン３６が位置することとし、レバーの端部２４とローラホルダ１８とをローラリリースロッド２５で連結したので、前記第１実施例と同様にカセットカバー２９Ａの開閉動作とプラテンローラ１６による印字テープの挟持動作とが一の操作で行われ、カラ印字や操作のやり直しの可能性が排除されている。
【００３７】
以上、実施例に基づき本発明を説明したが、本発明は上記実施例になんら限定されるものではなく、本発明の趣旨を逸脱しない範囲で種々の変形改良が可能であることは容易に推察されるものである。
例えば、前記各実施例ではいずれも、プラテンローラ１６を回動可能なローラホルダ１８に取り付け、このローラホルダ１８をレバーと連動させてセット位置とリリース位置とを切り換えサーマルヘッド７に対し近接又は離間させるものであったが、プラテンローラとサーマルヘッドとの関係を逆にし、サーマルヘッドを回動可能なヘッドホルダに取り付け、このヘッドホルダをレバーと連動させてセット位置とリリース位置とを切り換えプラテンローラに対し近接又は離間させるものとしてもよい。
【００３８】
【発明の効果】
以上説明した通り本発明に係るテープ印字装置は、カセットカバーの開閉動作と印字ヘッド及びプラテンの出退動作とを開閉両方向において関連させ、カセットカバーを閉じるとこれに伴って印字ヘッド及びプラテンがセットされると共に、印字ヘッド及びプラテンがセットされたままでもカセットカバーを開けようとするとこれに伴って印字ヘッド及びプラテンがリリースされてカセットカバーが開くようにすることにより、使いやすさを向上して誤操作の可能性を少なくしたテープ印字装置を提供できるものである。
【図面の簡単な説明】
【図１】第１の実施例に係るカセットカバーと印字機構とを示す斜視図である。
【図２】図１に示す印字機構を反対側から見た斜視図である。
【図３】第２の実施例に係るカセットカバーと印字機構とを示す斜視図である。
【図４】図３に示す印字機構を反対側から見た斜視図である。
【図５】図３に示すカセットカバーと印字機構において、カセットカバーの舌片に替えてピンを備えたものを示す斜視図である。
【図６】第３の実施例に係る上レバーと下レバー及びその周辺を示す断面図である。
【図７】テープ印字装置のカセットカバーを省略して背面から見た斜視図である。
【図８】テープカセットの内部構造と印刷部とを説明する図である。
【符号の説明】
１            テープ印字装置
３            テープカセット
４            カセット保持部
７            サーマルヘッド
９            印字テープ
１０          インクリボン
１４          両面テープ
１６          プラテンローラ
１７          押圧ローラ
１８          ローラホルダ
２２          リリースレバー
２３          下レバー
２５          ローラリリースロッド
２９、２９Ａ  カセットカバー
３２          下舌片
３３          上舌片
３４          上レバー
３５          舌片
３６          ピン
【図１】
0003590989.tif 000002
【図２】
0003590989.tif 000003
【図３】
0003590989.tif 000004
【図４】
0003590989.tif 000005
【図５】
0003590989.tif 000006
【図６】
0003590989.tif 000007
【図７】
0003590989.tif 000008
【図８】
0003590989.tif 000009